(57)【要約】【課題】受け部材に捕捉されるストライカの位置調整を容易かつ適切に行えるようにする。【解決手段】  ドアＭａに備えられるストライカ４と、ドア枠Ｆａに備えられてドアＭａの所定の往動位置でこのストライカ４を捕捉した後に移動して回動体Ｍの往動終了位置への往動をアシストする受け部材１とを備えたアシスト機構である。ストライカ４は支持アーム５に支持されると共に、この支持アーム５をドアＭａに取り付けられるベース６に調整手段７を介して上下及び左右の位置調整可能に組み付けてなる。【選択図】図１
2011094401.tif 000002
【特許請求の範囲】
【請求項１】
回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えたアシスト機構であって、
ストライカは支持アームに支持されると共に、この支持アームを回動体及び支持体のいずれか一方に取り付けられるベースに調整手段を介して上下及び左右の位置調整可能に組み付けてなることを特徴とする回動体のアシスト機構。
【請求項２】
調整手段を、ベースを前後から挟み付ける一対の挟持体と、支持アームとベースとを締め込み操作により締結させると共にこの締め込み操作により前記一対の挟持体をベースに圧接させる締め込み手段とから構成させてなることを特徴とする請求項１に記載の回動体のアシスト機構。
【請求項３】
一対の挟持体の一方はベースに対し上下方向又は左右方向に移動可能に支持され、かつ、一対の挟持体の他方はこの一方の挟持体に対しこの一方の挟持体がベースに上下方向に移動可能に支持されているときは左右方向に移動可能に支持され、この一方の挟持体がベースに左右方向に移動可能に支持されているときは上下方向に移動可能に支持されていることを特徴とする請求項２に記載の回動体のアシスト機構。
【請求項４】
一対の挟持体はそれぞれ、締め込み手段の締め込み操作によりベースに食い込むスパイク部を備えていることを特徴とする請求項２又は請求項３に記載の回動体のアシスト機構。
【請求項５】
金属製の挟持体にその一面側から貫通孔を形成させるに際しその他面側にこの貫通孔の孔縁を巡る周回状突部を形成させ、この周回状突部をスパイク部とさせてなることを特徴とする請求項４に記載の回動体のアシスト機構。
【請求項６】
締め込み手段を、ベースの後面側に位置される挟持体に形成されたナット部にネジつけられるボルトとしてなることを特徴とする請求項２に記載の回動体のアシスト機構。
【請求項７】
ボルトを、支持アームの中心を通る仮想の水平線に対し上下方向においてボルトの中心線を交叉させるように配させてなることを特徴とする請求項６に記載の回動体のアシスト機構。
【請求項８】
ボルトは、支持アームの下部側に形成された通し孔を通じてベースの後面側に位置される挟持体に形成されたナット部に下方からネジつけられるようになっていることを特徴とする請求項７に記載の回動体のアシスト機構。
【発明の詳細な説明】
【技術分野】
【０００１】
この発明は、往動終了位置に向けて往動される回動体に対し、所定の往動位置から往動終了位置までの間において、その往動をアシスト（補助）するように機能する機構の改良に関する。
【背景技術】
【０００２】
扉に設けたピンに扉が閉じる直前に係合すると共に付勢手段により回動して扉の閉止をアシストする係合体を扉枠側に取り付けてなるドアクローザがある。（特許文献１参照）これとは逆に、ピンを扉枠側に設け扉側にかかるピンに係合すると共にスプリングの付勢により回動して扉の閉止をアシストするアームを扉側に取り付けてなる扉体閉止装置がある。（特許文献２参照）
【０００３】
この種の機構にあっては、扉を所定の位置まで閉じたときに前記係合体やアームの係合箇所にピンが位置されないとかかる係合体やアームにピンが適切に捕捉されなくなり往動機構の所期の動作を実現できなくなる。しかるに、このピンの位置あわせは、特許文献１及び２に示される機構では、ピンを扉あるいは扉枠から取り外して適切な位置に取り付け直す他なかった。
【先行技術文献】
【特許文献】
【０００４】
【特許文献１】特開２００７−１７７４５９号公報
【特許文献２】特開２００７−１２０１４０号公報
【発明の概要】
【発明が解決しようとする課題】
【０００５】
この発明が解決しようとする主たる問題点は、この種のアシスト機構において、受け部材に捕捉されるストライカの位置調整を容易かつ適切に行えるようにする点にある。
【課題を解決するための手段】
【０００６】
前記課題を達成するために、この発明にあっては、回動体のアシスト機構を、回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えたアシスト機構であって、
ストライカは支持アームに支持されると共に、この支持アームを回動体及び支持体のいずれか一方に取り付けられるベースに調整手段を介して上下及び左右の位置調整可能に組み付けてなるものとした。
【０００７】
回動体を所定の往動位置まで往動させるとストライカが受け部材に捕捉され、この捕捉後の受け部材の移動によりストライカを介して往動終了位置に向けたドアの往動がアシストされる。しかるに、かかる往動のアシストは、ストライカと受け部材とがそれぞれ適切に配置されていなければ実現できない。この配置が不適切であると、ドアを往動させても受け部材にストライカが適切に捕捉されずアシスト機構の所期の動作を実現できなくなる。かかる構成によれば、前記調整手段によりベースに対する支持アームの組み付け位置、すなわち、ストライカのポジションをベースの取り付け直しを生じさせることなく上下左右に自由度高く調整して受け部材にストライカが適切に捕捉されるようにすることができる。
【０００８】
好ましい一つの態様としては、前記調整手段を、ベースを前後から挟み付ける一対の挟持体と、支持アームとベースとを締め込み操作により締結させると共にこの締め込み操作により前記一対の挟持体をベースに圧接させる締め込み手段とから構成させる。この場合にはさらに、一対の挟持体の一方はベースに対し上下方向又は左右方向に移動可能に支持され、かつ、一対の挟持体の他方はこの一方の挟持体に対しこの一方の挟持体がベースに上下方向に移動可能に支持されているときは左右方向に移動可能に支持され、この一方の挟持体がベースに左右方向に移動可能に支持されているときは上下方向に移動可能に支持されるようにすることが好ましい。
【０００９】
このようにしておけば、締め付け手段による締め込みを緩めることで支持アームの位置、つまり、ストライカのポジションを上下左右に移動調整することができ、この調整後締め込み手段を締め込むことで支持アームをベースに固定させてストライカを回動体の所定の往動位置において受け部材に適切に捕捉されるように位置づけることができる。
【００１０】
前記一対の挟持体にそれぞれ、締め込み手段の締め込み操作によりベースに食い込むスパイク部を備えさせておけば、ベースに対する支持アームの固定状態は安定的に維持され、ストライカを所定のポジションに安定的に位置づけさせることができる。この場合にさらに、かかるスパイク部を金属製の挟持体にその一面側から、貫通孔を形成させるに際しその他面側に形成される周回状突部により構成させた場合、周回状突部の突きだし先端に位置される縁部は格別の配慮をしなくとも鋭く形成させることができることから、ベースにスパイク部を強固に食い込ませることが可能となる。
【００１１】
前記締め込み手段はベースの後面側に位置される挟持体に形成されたナット部にネジつけられるボルトとすることが最適である。この場合にかかる締め込み手段を構成するボルトを、支持アームの中心を通る仮想の水平線に対し上下方向においてボルトの中心線を交叉させるように配させておけば、単一のボルトをもって、ベースに対して支持アームを安定的に前記のように固定させることができる。この場合にさらにかかるボルトは支持アームの下部側に形成された通し孔を通じてベースの後面側に位置される挟持体に形成されたナット部に下方からネジつけられるようにしておけば、下方からかかるボルトを締め込む操作などを容易に行うことができ、例えば、回動体のアシスト機構をドア及びドア枠の上部に備えさせた場合、ストライカのポジションの調整のためのボルトの螺退操作及びこの調整後の螺進操作を行いやすくする。
【発明の効果】
【００１２】
この発明によれば、受け部材に捕捉されるストライカの位置調整を、ストライカ側の取り外しを生じさせることなく行うことができ、こうした位置調整を容易かつ適切に行なうことができる。
【図面の簡単な説明】
【００１３】
【図１】図１はこの発明を適用して構成されたアシスト機構の使用状態を示した斜視構成図であり、ドアの上部側を下方から見て示している。
【図２】図２は図１のアシスト機構の受け部材の動作を理解しやすいように、この受け部材を下方から見て示した構成図であり、受け部材が待機位置にある状態を示している。
【図３】図３は図１のアシスト機構の受け部材の動作を理解しやすいように、この受け部材を下方から見て示した構成図であり、受け部材がストライカを捕捉して回り込み位置まで移動した状態を示している。
【図４】図４はアシスト機構を構成するストライカ側の部材と、これを組み付けるための彫り込みを施されたドアの上部側とを分離して示した斜視構成図である。
【図５】図５はアシスト機構を構成するストライカ側の部材の縦断面図である。
【図６】図６はアシスト機構を構成するストライカ側の部材の分解斜視図である。
【図７】図７はアシスト機構を構成するストライカ側の部材を図６と逆の向きから見て示した分解斜視図である。
【図８】図８はアシスト機構を構成するストライカ側の部材を構成する前側挟持体の斜視図である。
【図９】図９は図８におけるＡ−Ａ線位置での断面図である。
【図１０】図１０はアシスト機構を構成するストライカ側の部材を構成する後側挟持体の斜視図である。
【図１１】図１１は図１０におけるＢ−Ｂ線位置での断面図である。
【図１２】図１２は後側挟持体の正面図である。
【図１３】図１３は後側挟持体の背面図である。
【図１４】図１４は図１２におけるＣ−Ｃ線位置での断面図である。
【発明を実施するための形態】
【００１４】
以下、図１〜図１４に基づいて、この発明の典型的な実施の形態について説明する。この実施の形態にかかる回動体Ｍのアシスト機構は、往動終了位置に向けて往動される回動体Ｍに対し、所定の往動位置から往動終了位置までの間において、その往動をアシスト（補助）するように機能するものである。
【００１５】
かかる回動体Ｍは、支持体Ｆに往動回動及び復動回動可能に支持されるものであり、典型的には、ドアや開き戸などがあげられるが、支持体Ｆに往動回動及び復動回動可能に支持されるものであれば足りこれらに限られるものではない。図示の例では、アシスト機構をドアＭａとドア枠Ｆａとに備えさせた例を示している。
【００１６】
図示の例では、回動体ＭとしてのドアＭａは、支持体Ｆとしてのドア枠Ｆａの戸当たり部Ｆｂに往動時に先頭となる一面Ｍｂを突き当てさせた閉じ位置（往動終了位置）においてドア枠Ｆａの内方の開口部Ｆｃを閉塞するようになっている。そして、回動体ＭとしてのドアＭａは、かかる開口部Ｆｃを閉塞しない開き位置から、前記閉じ位置に向けて往動操作されると、この往動の過程で、アシスト機構を構成する受け部材１にアシスト機構を構成するストライカ４が当接して、かかる閉じ位置までアシスト機構の作用を蒙るようになっている。
【００１７】
図示の例ではかかるストライカ４は、回動体ＭとしてのドアＭａの側に取り付けられている。したがって、図示の例では、支持体Ｆとしてのドア枠Ｆａの側に受け部材１が備えられている。なお、図示の例とは別に、ストライカ４を支持体Ｆとしてのドア枠Ｆａの側に取り付けて、受け部材１を回動体ＭとしてのドアＭａ側に備えさせても、かかる回動体Ｍの往動をその途中からアシストすることができる。
【００１８】
図示の例では、ストライカ４は、支持アーム５及びベース６を介してドアＭａにおける往動時に先頭となる一面Ｍｂの前方に位置づけられている。より具体的には、図示の例では、かかるストライカ４はドアＭａのドアヒンジ側ＭｃにおいてドアＭａの上端側に備えられている。前記ベース６は回動体ＭとしてのドアＭａに対する取付部（後述の頭部６０の両端部）を有する。一方、前記支持アーム５はそのアーム先端部５ｂにおいてストライカ４を支持するようになっている。支持アーム５はアーム基部５ａにおいて後述の調整手段７を介して上下及び左右の位置調整可能にベース６に組み付けられている。かかるストライカ４は、この支持アーム５のアーム先端部５ｂから上方に突き出す軸状体として構成されている。ストライカ４の上端はドアＭａの上端面Ｍｅよりやや下のレベルに位置され、ドアＭａの閉じ位置向けた往動時において、ドア枠Ｆａの枠上部に備えられる受け部材１に、ドアＭａが閉じきる直前において捕捉されるようになっている。前記支持アーム５は、受け部材１を回動可能に納める後述の本体２の下部のレベルよりも下方に位置されている。
【００１９】
一方、受け部材１は、回動体Ｍの所定の往動位置においてストライカ４を捕捉した後に移動して回動体Ｍの往動終了位置への往動をアシストするように構成されている。
【００２０】
図示の例では、かかる受け部材１は、待機位置と回り込み位置との間に亘る回動可能に本体２に組み合わされている。かかる本体２は、天部２ａをドア枠Ｆａの枠上部への取付部としており、受け部材１はこの本体２の天部２ａより下方に突き出す垂直軸２ｂをもって本体２に回動可能に支持されている。かかる受け部材１は、底面視の状態で略扇状の輪郭を備えると共に、この扇形状の要部に前記垂直軸２ｂに対する軸孔１ａを備えている。また、かかる受け部材１には、前記扇形状の弧状縁１ｂにおいて開放されると共に、この弧状縁１ｂから軸孔１ａ側に向けて凹む捕捉凹所１ｃが形成されている。そして、図示の例では、前記待機位置において受け部材１の捕捉凹所１ｃの入り口１ｄが往動時のドアＭａの接近側、つまり前方側に向けられると共に、（図２）この待機位置にある受け部材１の捕捉凹所１ｃにドアＭａを所定の往動位置まで往動させるとストライカ４が入り込むようになっている。（この往動時には待機位置にある捕捉凹所１ｃの入り口１ｄ側にある凹所内壁１ｅ、１ｆのうち前側の内壁１ｅはストライカ４の移動軌跡ｘの側方に外れ、後側の内壁１ｆがこの移動軌跡ｘ（図２）上に位置されるようになっている。）そして、このように捕捉凹所１ｃにストライカ４が入り込むと受け部材１が捕捉凹所１ｃの入り口１ｄを後方側に向ける回り込み位置に向けて正転されると共に、この正転にその途中から付勢手段３の付勢力が作用されて、このように正転される受け部材１によってドアＭａの往動終了位置に向けた往動がアシストされるようになっている。図示の例では、かかる付勢手段３を、バネ一端３ｂを受け部材１の弧状縁１ｂ側に止め付け、かつ、バネ他端３ｃを本体２に止め付けると共に、このバネ両端３ｂ、３ｃ間の寸法が受け部材１の待機位置と回り込み位置との間の中間位置において最も大きくなるように本体２に備え付けられた引っ張りコイルバネ３ａによって構成させている。そして、かかるバネ３ａによって、前記ドアＭａの往動のアシストと受け部材１の待機位置及び回り込み位置にある状態の維持とが図られるようになっている。すなわち図示の例では、かかるバネ３ａはバネ両端３ｂ、３ｃと垂直軸２ｂとが略同一の仮想の直線上に位置された前記中間位置でもっとも引き延ばされるようになっており、これによりストライカ４を捕捉凹所１ｃに受け入れた受け部材１がドアＭａの往動により待機位置から中間位置を超える位置まで連れ移動されると中間位置から先は受け部材１は回り込み位置まで前記バネ３ａの付勢により強制的に正転してドアＭａの往動をアシストする。また、受け部材１が待機位置にあるときは受け部材１の正転は前記バネ３ａの引き延ばしをもたらし、また、受け部材１が回り込み位置にあるときも受け部材１の逆転は前記バネ３ａの引き延ばしをもたらすことから、受け部材１が待機位置にある状態と回り込み位置にある状態はそれぞれかかるバネ３ａにより維持される。受け部材１の前記正転に図示しないダンパー装置などを用いて制動力を作用させるようにしておけば、アシストされたドアＭａの往動をゆっくりとしたものとすることができる。往動終了位置にあるドアＭａを復動させると、ストライカ４を捕捉している受け部材１は待機位置までこれに連れて逆転され、待機位置に至ると捕捉凹所１ｃからストライカ４が抜け出し解放されドアＭａの復動が許容される。
【００２１】
また、この実施の形態にかかるアシスト機構にあっては、前記ストライカ４は、前記調整手段７を介してベース６に組み付けられる支持アーム５により、上下及び左右の位置調整可能に、図示の例では回動体ＭとしてのドアＭａ側に備えられるようになっている。すなわち、図示の例では、ストライカ４のポジションを、ドアＭａの上下方向及び左右方向において、調整できるようになっている。
【００２２】
回動体ＭとしてのドアＭａを所定の往動位置まで往動させるとストライカ４が受け部材１に捕捉され、この捕捉後の受け部材１の移動によりストライカ４を介して往動終了位置に向けたドアＭａの往動がアシストされる。しかるに、かかる往動のアシストは、ストライカ４と受け部材１とがそれぞれ適切に配置されていなければ実現できない。この配置が不適切であると、ドアＭａを往動させても受け部材１にストライカ４が適切に捕捉されずアシスト機構の所期の動作を実現できなくなる。この実施の形態にあっては、前記調整手段７によりベース６に対する支持アーム５の組み付け位置、すなわち、ストライカ４のポジションをベース６の取り付け直しを生じさせることなく上下左右に自由度高く調整して受け部材１にストライカ４が適切に捕捉されるようにすることができる。
【００２３】
具体的には、前記支持アーム５は、アーム基部５ａとアーム先端部５ｂとの間において屈曲されており、アーム先端部５ｂはアーム基部５ａの側方に位置されている。アーム基部５ａには方形盤状をなす座板５ｃが形成されている。支持アーム５はこの座板５ｃの前面から前方に突き出すように形成されている。アーム基部５ａの下部側には凹所５ｄが形成されていると共に、座板５ｃの中央部とこの凹所５ｄにおける座板５ｃ側に位置される壁部との間に亘って、後述する締め込み手段７２となるボルト７２ａの通し孔５ｅが貫通状態に形成されている。この通し孔５ｅは、前記凹所５ｄ側の孔口を座板５ｃ側の孔口よりも下方に位置させており、この通し孔５ｅに凹所５ｄ側から挿通されるボルト７２ａは支持アーム５の中心を通る仮想の水平線Ｌ１に対し上下方向においてボルト７２ａの中心線Ｌ２を交叉させる。（図５）かかるボルト７２ａは支持アーム５の下部側に形成された通し孔５ｅを通じてベース６の後面側に位置される後述の後側挟持体７１に形成されたナット部としてのねじ穴７１ｅに下方からネジつけられるようになっており、かかるボルト７２ａの螺進操作、つまり締め込み操作や、螺退操作は下方から容易に行うことができる。
【００２４】
また、前記ベース６は、左右方向に長く形成された頭部６０と、この頭部６０の両端間において上部をこの頭部６０に一体に連接させた主体部６１とを備えている。主体部６１は略方形の前面６１ａ及び後面６１ｂを備えると共に、この前面６１ａ及び後面６１ｂを貫通する方形の窓孔６２をその中央部に備えている。
【００２５】
具体的には、主体部６１の前面６１ａ及び後面６１ｂはそれぞれ、上辺、下辺及び左右側辺を有している。また、主体部６１の前面６１ａ及び後面６１ｂはそれぞれ、これら各辺に沿って形成された上壁６３、下壁６４及び左右側壁６５、６５によって囲繞されている。また、頭部６０の両端にはそれぞれ、上下方向にこの頭部６０を貫通したネジの通し孔６０ａが形成されている。図示の例では、回動体ＭとしてのドアＭａに形成させた彫り込みＭｄを利用して、このドアＭａの一面Ｍｂ側から支持アーム５を前方に突き出せるようにして、このドアＭａの上端側にベース６が取り付けられるようになっている。（図１、図４）かかる彫り込みＭｄは、ドアＭａの上端面ＭｅとドアＭａの一面Ｍｂ側とにおいてそれぞれ開放されている。図示の例では、ベース６の主体部６１の下部側を先にしてかかる彫り込みＭｄに上方からベース６を納め入れた後に前記通し孔６０ａを通じてドアＭａ側にネジＳをネジつけることで、ドアＭａにベース６を取り付けるようにしている。ベース６の前面６１ａはドアＭａの一面Ｍｂ側においてこの側にある彫り込みＭｄの開放箇所に臨み、そこから前方に支持アーム５が突き出される。
【００２６】
また、前記調整手段７は、この実施の形態にあっては、ベース６を前後から挟み付ける一対の挟持体と、支持アーム５とベース６とを締め込み操作により締結させると共にこの締め込み操作により前記一対の挟持体をベース６に圧接させる締め込み手段７２とから構成されている。
【００２７】
また、図示の例では、一対の挟持体の一方はベース６の主体部６１の前面６１ａ側にあって、このベース６に対し左右方向に移動可能に支持されている。（以下、この一方の挟持体を前側挟持体７０という。）また、一対の挟持体の他方はベース６の主体部６１の後面６１ｂ側にあって、前側挟持体７０に対し上下方向に移動可能に支持されている。（以下、この他方の挟持体を後側挟持体７１という。）
【００２８】
具体的には、前側挟持体７０は、金属より構成され、略方形の板状を呈するように構成されている。この前側挟持体７０は、上下方向の寸法をベース６の主体部６１の前面６１ａ側の上壁６３と下壁６４間の間隔と略等しくすると共に、左右方向の寸法をこの前面６１ａ側の左右側壁６５、６５間の間隔よりも小さくしている。そして、かかる前側挟持体７０は、前側挟持体７０の上辺を前記上壁６３に下辺を前記下壁６４に案内されて、左右方向に移動可能にベース６に組み合わされている。前側挟持体７０の中央には、ベース６の窓孔６２に連通するガイド窓孔７０ａが形成されている。このガイド窓孔７０ａは上下方向を長さ側とした長方形状を呈している。また、前側挟持体７０の左辺及び右辺にはそれぞれ、前方に突き出す突きだし部７０ｂが形成されている。この突きだし部７０ｂは前側挟持体７０を構成する金属板に曲げを施すことで形成されている。また、前側挟持体７０のガイド窓孔７０ａを挟んだ左右両側にはそれぞれ、締め込み手段７２の締め込み操作によりベース６を構成する主体部６１の前面６１ａに食い込むスパイク部７０ｃが形成されている。図示の例では、前記ガイド窓孔７０ａを挟んだ左右両側にそれぞれ、四箇所のスパイク部７０ｃが隣り合うスパイク部７０ｃとの間に間隔を開けて上下に配列されている。各スパイク部７０ｃはそれぞれ、前側挟持体７０にその前面側から貫通孔７０ｄを形成させるに際しその後面側に形成させたこの貫通孔７０ｄの孔縁を巡る周回状突部７０ｅにより構成されている。（図９）
【００２９】
一方、後側挟持体７１も金属より構成されている。後側挟持体７１は、上辺、下辺及び左右側辺を備えた略四角形の枠部７１ａと、この枠部７１ａの上部の中央と下部の中央との間に亘る架橋部７１ｂと、この架橋部７１ｂの上下方向略中程の位置から前方に突き出す左右一対の腕部７１ｃ、７１ｃとを備えている。この後側挟持体７１の枠部７１ａは、上下方向の寸法をベース６の主体部６１の後面６１ｂ側の上壁６３と下壁６４間の間隔よりも小さくし、且つ、左右方向の寸法をこの後面６１ｂ側の左右側壁６５、６５間の間隔よりも小さくしている。また、一対の腕部７１ｃ、７１ｃはそれぞれ、枠部７１ａの前面より腕先端を前方に位置させ、かつ、板面を上下方向に沿わせたた板状をなすように構成されている。一対の腕部７１ｃ、７１ｃの上下方向の寸法は前側挟持体７０のガイド窓孔７０ａの上下方向の寸法よりも小さく、かつ、一対の腕部７１ｃ、７１ｃの外面間の間隔は前側挟持体７０のガイド窓孔７０ａの左右方向の寸法と略等しくなっている。そして、かかる後側挟持体７１は、ベース６の後面６１ｂに枠部７１ａを添装させた状態においてこのベース６の窓孔６２を通じて前側挟持体７０のガイド窓孔７０ａに一対の腕部７１ｃ、７１ｃの腕先端を入り込ませ、このガイド窓孔７０ａに案内されて上下方向に移動可能に前側挟持体７０に組み合わされている。図示の例では、後側挟持体７１の架橋部７１ｂ及び枠部７１ａにおけるこの架橋部７１ｂとの連接箇所は金属板を前方に凹所７１ｄが形成されるように折り曲げることで構成されており、これらの箇所は枠部７１ａの後面６１ｂより後方に突き出されている。枠部７１ａにおける上辺側における架橋部７１ｂとの連接箇所には、斜め下方から前記締め込み手段７２となるボルト７２ａを受け入れるナット部としてのねじ穴７１ｅが形成されている。また、後側挟持体７１の枠部７１ａの上辺側と下辺側とにはそれぞれ、架橋部７１ｂを挟んだ左右両側にそれぞれ、締め込み手段７２の締め込み操作によりベース６を構成する主体部６１の後面６１ｂに食い込むスパイク部７１ｆが形成されている。図示の例では、前記架橋部７１ｂを挟んだ左右両側にそれぞれ、二箇所のスパイク部７１ｆが隣り合うスパイク部７１ｆとの間に間隔を開けて左右に配列されている。各スパイク部７１ｆはそれぞれ、後側挟持体７１の枠部７１ａにその前面側から貫通孔７１ｇを形成させるに際しその後面側に形成させたこの貫通孔７１ｇの孔縁を巡る周回状突部７１ｈにより構成されている。（図１１）
【００３０】
前側挟持体７０の左右の突きだし部７０ｂ間の間隔は支持アーム５の座板５ｃの左右寸法と略等しく、支持アーム５はこの前側挟持体７０の前面６１ａに座板５ｃを密着させた状態で、前側挟持体７０の左右の突きだし部７０ｂ間に納まるようになっている。また、支持アーム５の座板５ｃの上下寸法はベース６の主体部６１の前面６１ａの上壁６３と下壁６４間の間隔よりも小さい。締め込み手段７２としてのボルト７２ａは、支持アーム５の通し孔５ｅを通じて前側挟持体７０のガイド窓孔７０ａとベース６の窓孔６２とを通過し後側挟持体７１のねじ穴７１ｅにねじ付け可能となっている。ボルト７２ａを螺進させると、つまり締め込むと、支持アーム５の座板５ｃは前側挟持体７０の前面に押しつけられると共に、前側挟持体７０の後面と後側挟持体７１の枠部７１ａの前面との間でベース６の主体部６１は挟み付けられ、これによりベース６に支持アーム５が固定されストライカ４が所定のポジションに位置づけられる。
【００３１】
一対の挟持体、つまり、前記前側挟持体７０及び後側挟持体７１はそれぞれ、締め込み手段７２の締め込み操作によりベース６に食い込むスパイク部７０ｃ、７１ｆを備えていることから、ベース６に対する支持アーム５の固定状態は安定的に維持され、ストライカ４を所定のポジションに安定的に位置づけさせることができる。典型的には、ベース６を合成樹脂製として、ベース６よりも一対の挟持体を硬度の高い材料により構成させる。
【００３２】
かかるスパイク部７０ｃ、７１ｆを前記のように金属製の挟持体にその一面側から、典型的にはパンチング加工により、貫通孔７０ｄ、７１ｇを形成させるに際しその他面側に形成される周回状突部７０ｅ、７１ｈにより構成させた場合、周回状突部７０ｅ、７１ｈの突きだし先端に位置される縁部は格別の配慮をしなくとも鋭く形成させることができることから、ベース６にスパイク部７０ｃ、７１ｆを強固に食い込ませることが可能となる。
【００３３】
また、この実施の形態にあっては、前記締め込み手段７２を構成するボルト７２ａを、支持アーム５の中心を通る仮想の水平線Ｌ１に対し上下方向においてボルト７２ａの中心線Ｌ２を交叉させるように配させてなることから、単一のボルト７２ａをもって、ベース６に対して支持アーム５を安定的に前記のように固定させることができる。
【００３４】
また、前記のように一対の挟持体の一方、図示の例では前側挟持体７０は左右方向に移動可能にベース６に支持され、一対の挟持体の他方、図示の例では後側挟持体７１は上下方向に移動可能に前側挟持体７０に支持されることから、締め付け手段を構成するボルト７２ａを緩めることで支持アーム５の位置、つまり、ストライカ４のポジションを上下左右に移動調整することができ、この調整後ボルト７２ａを締め込むことで支持アーム５をベース６に固定させてストライカ４を回動体Ｍの所定の往動位置において受け部材に適切に捕捉されるように位置づけることができる。
【符号の説明】
【００３５】
Ｍａ  ドア
Ｆａ  ドア枠
２  受け部材
４  ストライカ
５  支持アーム
６  ベース
７  調整手段
【図１】
2011094401.tif 000003
【図２】
2011094401.tif 000004
【図３】
2011094401.tif 000005
【図４】
2011094401.tif 000006
【図５】
2011094401.tif 000007
【図６】
2011094401.tif 000008
【図７】
2011094401.tif 000009
【図８】
2011094401.tif 000010
【図９】
2011094401.tif 000011
【図１０】
2011094401.tif 000012
【図１１】
2011094401.tif 000013
【図１２】
2011094401.tif 000014
【図１３】
2011094401.tif 000015
【図１４】
2011094401.tif 000016